(57)【要約】【課題】屋根勾配や傾斜鼻板等に勾配誤差が生じている場合において、１種類の角度調整用座板を利用してプラス誤差又はマイナス誤差を選択して吸収でき、これにより軒樋を正規の水平姿勢に施工することが容易となる。【解決手段】軒樋を水平姿勢で吊り下げる軒樋吊り具４の傾斜固定板部６と傾斜鼻板２との間に介在され、前後方向の厚みを一端部側が厚く且つ他端部側ほど次第に薄くなるように、後面７ｎに対して前面７ｍが傾斜しており、厚肉側の一端部を上、薄肉側の他端部を下にすることでマイナス誤差を吸収する第１の使用状態と、角度調整用座板７を上下反転して薄肉側の他端部を上、厚肉側の一端部を下にすることでプラス誤差を吸収する第２の使用状態とを選択可能とした角度調整用座板７である。【選択図】図１
2008184748.tif 000002
【特許請求の範囲】
【請求項１】
屋根勾配に対して直角に垂下した傾斜鼻板に対して軒樋吊り具が固定され、軒樋吊り具は、軒樋を水平姿勢で吊り下げる軒樋吊り具本体と、上記傾斜鼻板に固定されると共に傾斜鼻板と平行に傾斜した傾斜固定板部と、傾斜固定板部と傾斜鼻板との間に介在されて屋根勾配や傾斜鼻板等の勾配誤差を調整するための角度調整用座板とを備え、上記角度調整用座板は、前後方向の厚みを一端部側が厚く且つ他端部側ほど次第に薄くなるように、後面に対して前面が傾斜しており、角度調整用座板の厚肉側の一端部を上、薄肉側の他端部を下にすることでマイナス誤差を吸収する第１の使用状態と、角度調整用座板を上下反転して薄肉側の他端部を上、厚肉側の一端部を下にすることでプラス誤差を吸収する第２の使用状態とを選択可能としたことを特徴とする軒樋保持具の取付構造。
【請求項２】
上記角度調整用座板の前面の対角方向に位置する２つのコーナー部に一対の嵌合凹部を設けると共に、上記軒樋吊り具の傾斜固定板部の外周部に、傾斜固定板部を角度調整用座板の前面中心と直交する軸廻りに回転させることで上記一対の嵌合凹部に各々嵌合する一対の嵌合凸部を設けたことを特徴とする請求項１記載の軒樋保持具の取付構造。
【請求項３】
上記角度調整用座板の前面の上下両端部に、横方向に開口し且つ互いに対向する一対の嵌合溝を設け、上記軒樋吊り具の傾斜固定板部の上下両端部を横方向から上下一対の嵌合溝にスライド嵌合させるようにしたことを特徴とする請求項１記載の軒樋保持具の取付構造。
【発明の詳細な説明】
【技術分野】
【０００１】
本発明は、軒樋吊り具の取付構造に関し、詳しくは屋根勾配や傾斜鼻板等の勾配誤差に対応できるようにするための技術に関するものである。
【背景技術】
【０００２】
従来から、軒樋保持部と垂直固定板部とを有する軒樋吊り具本体と、角度調整部材とから構成される軒樋吊り具が知られている（例えば、特許文献１参照）。
【０００３】
上記特許文献１の従来例では、図１１（ａ）のように鼻板２が垂直の場合は軒樋吊り具５０の垂直固定板部５１を鼻板２に対して直接固定し、一方、鼻板２が傾斜している場合は、図１１（ｂ）のように垂直固定板部５１と鼻板２との間に角度調整部材５２を挟み込むことによって、軒樋３を水平姿勢で保持できるようにしたものである。しかしこの従来の角度調整部材５２は、軒樋吊り具５０を傾斜した鼻板２に適用できるようにしたものにすぎず、仮りに屋根勾配や鼻板に勾配誤差が生じている場合は、軒樋３の水平姿勢を保てなくなる。
【０００４】
ところで、屋根勾配や鼻板に勾配誤差が生じている場合において、軒樋吊り具５０が金属製の場合は、軒樋吊り具５０に力を加えて少し変形させることで、若干の勾配誤差を微調整することは可能であるが、この場合、軒樋吊り具５０に力を加えて軒樋３の水平姿勢を保つように微調整するのに手間と熟練を要するものである。さらに近年は軒樋吊り具５０が強度に優れる樹脂製が用いられつつあり、このような樹脂製では変形による微調整はできないため、軒樋３が正規の水平姿勢とならず、結果、従来では、屋根勾配や傾斜鼻板２の勾配誤差に容易に対応できないという課題があった。
【特許文献１】特開平８−２２６２０６号公報
【発明の開示】
【発明が解決しようとする課題】
【０００５】
本発明は上記の従来の問題点に鑑みて発明したものであって、屋根勾配や傾斜鼻板等に勾配誤差が生じている場合において、１種類の角度調整用座板を利用してプラス誤差又はマイナス誤差を選択して吸収でき、これにより軒樋を正規の水平姿勢で施工することが容易となる軒樋保持具の取付構造を提供することを課題とするものである。
【課題を解決するための手段】
【０００６】
前記課題を解決するために本発明にあっては、屋根勾配に対して直角に垂下した傾斜鼻板２に対して軒樋吊り具４が固定され、軒樋吊り具４は、軒樋３を水平姿勢で吊り下げる軒樋吊り具本体５と、上記傾斜鼻板２に固定されると共に傾斜鼻板２と平行に傾斜した傾斜固定板部６と、傾斜固定板部６と傾斜鼻板２との間に介在されて屋根勾配や傾斜鼻板２等の勾配誤差を調整するための角度調整用座板７とを備え、上記角度調整用座板７は、前後方向の厚みを一端部側が厚く且つ他端部側ほど次第に薄くなるように、後面７ｎに対して前面７ｍが傾斜しており、角度調整用座板７の厚肉Ｍ側の一端部を上、薄肉Ｎ側の他端部を下にすることでマイナス誤差を吸収する第１の使用状態と、角度調整用座板７を上下反転して薄肉Ｎ側の他端部を上、厚肉Ｍ側の一端部を下にすることでプラス誤差を吸収する第２の使用状態とを選択可能としたことを特徴としている。
【０００７】
このような構成とすることで、屋根勾配や傾斜鼻板２に勾配誤差が生じている場合は、角度調整用座板７によるプラス勾配誤差を吸収する第１の使用状態とマイナス勾配誤差を吸収する第２の使用状態とを選択するだけで、１種類の角度調整用座板７を用いてプラス、マイナスの勾配誤差に即座に対応できるようになる。
【０００８】
また、上記角度調整用座板７の前面７ｍの対角方向に位置する２つのコーナー部に一対の嵌合凹部７ａを設けると共に、上記軒樋吊り具４の傾斜固定板部６の外周部に、傾斜固定板部６を角度調整用座板７の前面７ｍ中心と直交する軸廻りに回転させることで上記一対の嵌合凹部７ａに各々嵌合する一対の嵌合凸部６ｃを設けるのが好ましく、この場合、傾斜固定板部６の回転操作によって傾斜固定板部６を角度調整用座板７に対してワンタッチで取り付け可能となり、しかも、角度調整用座板７の一対の嵌合凹部７ａと傾斜固定板部６の一対の嵌合凸部６ｃとをそれぞれ対角方向に対称的に配置することによって、角度調整用座板７を上下反転して使用する場合でも、傾斜固定板部６の回転操作による取り付けが可能となる。
【０００９】
また、上記角度調整用座板７の前面７ｍの上下両端部に、横方向に開口し且つ互いに対向する一対の嵌合溝７ｄを設け、上記軒樋吊り具４の傾斜固定板部６の上下両端部を横方向から上下一対の嵌合溝７ｄにスライド嵌合させるようにするのが好ましく、この場合、傾斜固定板部６のスライド操作によって角度調整用座板７に着脱自在に取り付け可能となると共に、角度調整用座板７の一対の嵌合溝７ｄを上下両端に対称的に配置することによって角度調整用座板７を上下反転して使用する場合でも、傾斜固定板部６のスライド操作による取り付けが可能となる。
【発明の効果】
【００１０】
本発明は、角度調整用座板を上下反転してプラス誤差又はマイナス誤差を選択して吸収することにより、軒樋を正規の水平姿勢で施工することが容易となる。また、傾斜の異なる種々の屋根勾配に対応する複数種類の傾斜固定板部を備えた軒樋吊り具と、１種類の角度調整用座板とを用意しておくことで、種々の屋根ごとにおける勾配誤差に容易に対応できるものである。
【発明を実施するための最良の形態】
【００１１】
以下、本発明を添付図面に示す実施形態に基いて説明する。
【００１２】
図１〜図３に示すように、傾斜屋根１の屋根勾配に対して直角に垂下した傾斜鼻板２に対して軒樋吊り具４が固定される。
【００１３】
軒樋吊り具４は、軒樋３を水平姿勢で吊り下げる軒樋吊り具本体５と、上記傾斜鼻板２に固定されると共に傾斜鼻板２と平行に傾斜した傾斜固定板部６と、傾斜固定板部６と傾斜鼻板２との間に介在される角度調整用座板７とで構成されている。また本例では、軒樋吊り具４は例えば強度に優れた樹脂材料で成形されているが、金属製であってもよい。
【００１４】
一般に、屋根勾配としては４寸勾配、５寸勾配、６寸勾配等があるが、これら屋根勾配が異なるものに対しては各々、異なる種類の軒樋吊り具４を用いる。図５（ａ）〜（ｃ）にその一例を示す。本例では、傾斜固定板部６の傾斜角度のみを異ならせたものであり、（ａ）は４寸屋根勾配に対応する傾斜角度θ１（例えば、２１．８°）で傾斜した傾斜固定板部６を備えた軒樋吊り具４を示し、（ｂ）は５寸屋根勾配に対応する傾斜角度θ２（例えば、２６．６°）で傾斜した傾斜固定板部６を備えた軒樋吊り具４を示し、同（ｃ）は６寸屋根勾配に対応する傾斜角度θ３（例えば、３１°）で傾斜した傾斜固定板部６を備えた軒樋吊り具４を示している。
【００１５】
また上記傾斜固定板部６には、アンカーボルト９を打ち込むための複数のボルト穴６ａと、釘を打ち込むための複数の釘穴６ｂとが設けられている。ここで、ボルト穴６ａ（釘穴６ｂも同様）には例えば図８に示すようにゴムなどの弾力性のある樹脂からなる弾性リング８を取着しておくのが望ましい。この場合、傾斜固定板部６をアンカーボルト９（或いは釘）で固定する作業途中でアンカーボルト９を弾性リング８にて仮保持でき、落下防止に効果的となる。
【００１６】
上記角度調整用座板７は、図７に示すように、前後方向の厚みを一端部側が厚く且つ他端部側ほど次第に薄くなるように、後面７ｎに対して前面７ｍが傾斜している。そして、角度調整用座板７の厚肉Ｍ側の一端部を上、薄肉Ｎ側の他端部を下にすることでマイナス誤差を吸収する第１の使用状態（図７（ａ））と、角度調整用座板７を上下反転して薄肉Ｎ側の他端部を上、厚肉Ｍ側の一端部を下にすることでプラス誤差を吸収する第２の使用状態（図７（ｂ））とを選択できるようになっている。本例では第１の使用状態を選択することで＋０．５寸の勾配誤差を吸収でき、第２の使用状態を選択することで、−０．５寸の勾配誤差を吸収できるようにしている。
【００１７】
上記角度調整用座板７には、傾斜固定板部６に設けた複数のボルト穴６ａと対応する複数のボルト挿通穴７ｂと、傾斜固定板部６に設けた複数の釘穴６ｂと対応する複数の釘挿通穴７ｃとが設けられている。これら複数のボルト挿通穴７ｂと複数の釘挿通穴７ｃの位置は、角度調整用座板７を上下反転した場合でも同じ位置にくるように上下対称的に配置されている。
【００１８】
次に、傾斜固定板部６を角度調整用座板７に取り付けるにあたって、角度調整用座板７の前面７ｍの対角方向に位置する２つのコーナー部には一対の嵌合凹部７ａが設けられており、一方、軒樋吊り具４の傾斜固定板部６の対角方向に位置する２つの外周角部には、傾斜固定板部６を角度調整用座板７の前面７ｍ中心と直交する軸廻りに回転させることで上記一対の嵌合凹部７ａに各々嵌合する一対の嵌合凸部６ｃが設けられている。ここで、嵌合凹部７ａの内面は図９に示すように、傾斜固定板部６の丸みを有する嵌合凸部６ｃの外周形状に沿って湾曲状に形成されていると共に、嵌合凹部７ａの両端側は横方向に開口している。そして、図６（ｂ）に示すように、傾斜固定板部６を角度調整用座板７の前面７ｍに対して４５°傾けて押し当てた状態で傾斜固定板部６と一体の軒樋吊り具本体５を矢印方向に４５°回転させることにより、図６（ａ）に示すように、角度調整用座板７の一対の嵌合凹部７ａに対して傾斜固定板部６の一対の嵌合凸部６ｃが各々嵌合し、これにより傾斜固定板部６に対して角度調整用座板７が取り付けられる。ここでは、図９（ｂ）に示すように、嵌合凹部７ａの溝幅を一端４０の溝幅ｈ1が高く、他端４１側にいくほど徐々に低く、他端４１で最も低い溝幅ｈ２（＜ｈ1）となるように下り傾斜させてあり、これにより、傾斜固定板部６の回転により嵌合凹部７ａの一端４０側から進入する嵌合凸部６ｃが嵌合凹部７ａの途中で回転が止まり、容易に位置決めされる利点がある。このような回転操作による取付けは、角度調整用座板７が第１の使用状態と第２の使用状態のどちらでも同様にして行なえるものである。
【００１９】
次に、上記角度調整用座板７による勾配誤差を吸収する機能を説明する。
【００２０】
図３は４寸勾配の傾斜屋根１の一例を示しているが、５寸勾配、６寸勾配等においても同様である。図３は屋根勾配に誤差がない場合であり、この場合は角度調整用座板７を用いずに、傾斜固定板部６を直接、傾斜鼻板２に対して固定する。
【００２１】
図１は、４寸勾配の傾斜屋根１において、Ｌ１で示すように基準となる４寸勾配Ｌよりも−α（例えば−０．５寸）の勾配誤差が生じている場合は、角度調整用座板７の厚肉Ｍ側の一端部を上、薄肉Ｎ側の他端部を下にする第１の使用状態（図７（ａ））で、傾斜固定板部６を前記図６に示した回転操作により角度調整用座板７に接合し、傾斜固定板部６を角度調整用座板７を介して傾斜鼻板２に固定する。これにより、−０．５寸の勾配誤差を角度調整用座板７にて吸収できるようになり、軒樋３を正規の水平姿勢で容易に施工できるようになる。
【００２２】
図２は、４寸勾配の傾斜屋根１において、Ｌ２で示すように基準となる４寸勾配Ｌよりも＋α（例えば＋０．５寸）の勾配誤差が生じている場合は、角度調整用座板７を上下反転して、薄肉Ｎ側の他端部を上、厚肉Ｍ側の一端部を下にする第２の使用状態（図７（ｂ））で、傾斜固定板部６を前記図６に示した回転操作により角度調整用座板７に接合し、傾斜固定板部６を角度調整用座板７を介して傾斜鼻板２に固定する。これにより、＋０．５寸の勾配誤差を角度調整用座板７にて吸収できるようになり、軒樋３を正規の水平姿勢で容易に施工できるようになる。
【００２３】
なお上記図１、図２では屋根勾配に勾配誤差を生じている場合を例示したが、傾斜鼻板２に勾配誤差が生じている場合においても、同様にして角度調整用座板７による勾配誤差吸収機能を発揮できるものである。
【００２４】
しかして、図１、図２のような勾配誤差が生じている場合は、角度調整用座板７によるプラス勾配誤差を吸収する第１の使用状態とマイナス勾配誤差を吸収する第２の使用状態とを選択するだけで、１種類の角度調整用座板７を用いてプラス、マイナスの勾配誤差に即座に対応できるようになり、結果、軒樋３を正規の水平姿勢が容易に得られる。また、傾斜の異なる種々の屋根勾配に対応する複数種類の傾斜固定板部６を備えた軒樋吊り具４と、１種類の角度調整用座板７とを用意しておくことで、種々の屋根ごとにおける勾配誤差に容易に対応できるものである。
【００２５】
また本例では、軒樋吊り具４の傾斜固定板部６の回転操作によって傾斜固定板部６を角度調整用座板７に対してワンタッチで取り付け可能となり、しかも、角度調整用座板７の一対の嵌合凹部７ａと傾斜固定板部６の一対の嵌合凸部６ｃとをそれぞれ対角方向に対称的に配置することによって、角度調整用座板７を上下反転して使用する場合でも、傾斜固定板部６の回転操作による取り付けができる利点もある。
【００２６】
図１０（ａ）（ｂ）は、本発明の請求項３と対応する実施形態であり、角度調整用座板７の前面の上下両端部に、横方向に開口し且つ互いに対向する一対の嵌合溝７ｄを設け、上記軒樋吊り具４の傾斜固定板部６の上下両端部を横方向から上下一対の嵌合溝７ｄにスライド嵌合させる場合を示している。しかして、傾斜固定板部６のスライド操作によって角度調整用座板７に着脱自在に取り付け可能となると共に、角度調整用座板７が第１の使用状態と第２の使用状態のどちらでも軒樋吊り具本体５のスライド操作による取付けが可能となる。また本例では、上下の嵌合溝７ｄの奥端部にストッパー壁７ｇがそれぞれ突設されており、傾斜固定板部６のスライド位置の位置決めが容易となっている。さらに他例として図１０（ｃ）のように、嵌合溝７ｄの入り側に突起部７ｆを突設させて、傾斜固定板部６が嵌合溝７ｄから外れる方向に移動するのを規制するのが望ましく、これにより傾斜固定板部６の取り付けをより確実に行なうことができる。
【００２７】
本実施形態に係る角度調整用座板７は、軒樋吊り具４を傾斜鼻板２に取り付ける場合に限らず、垂直鼻板に取り付ける場合にも、垂直鼻板の勾配誤差を調整するために使用できるものである。
【図面の簡単な説明】
【００２８】
【図１】本発明の一実施形態を示し、４寸勾配の傾斜屋根において−０．５寸の勾配誤差が生じている場合に、角度調整用座板７を第１の使用状態で使用した場合の説明図である。
【図２】同上の４寸勾配の傾斜屋根において＋０．５寸の勾配誤差が生じている場合に、角度調整用座板７を上下反転して第２の使用状態で使用した場合の説明図である。
【図３】同上の４寸勾配の傾斜屋根において勾配誤差がない場合は角度調整用座板７を使用しない場合の説明図である。
【図４】（ａ）（ｂ）は同上の軒樋吊り具の斜視図、側面図である。
【図５】（ａ）は同上の４寸屋根勾配に対応する傾斜角度θ１で傾斜した傾斜固定板部６を備えた軒樋吊り具の一部を示し、（ｂ）は５寸屋根勾配に対応する傾斜角度θ２で傾斜した傾斜固定板部を備えた軒樋吊り具の一部を示し、（ｃ）は６寸屋根勾配に対応する傾斜角度θ３で傾斜した傾斜固定板部を備えた軒樋吊り具の一部を示す図である。
【図６】（ａ）（ｂ）は同上の傾斜固定板部を回転させて角度調整用座板の前面に取り付ける場合の動作説明図である。
【図７】（ａ）は同上の角度調整用座板の第１の使用状態を示し、（ｂ）は第２の使用状態を示す斜視図である。
【図８】同上の傾斜固定板部のボルト穴及び釘穴に弾力性のある樹脂からなる弾性リングを取着した場合の説明図である。
【図９】（ａ）（ｂ）は同上の角度調整用座板のコーナー部に設けられる嵌合凹部の説明図である。
【図１０】（ａ）（ｂ）（ｃ）は他の実施形態を説明する図である。
【図１１】（ａ）（ｂ）は従来例の説明図である。
【符号の説明】
【００２９】
１  傾斜屋根
２  傾斜鼻板
３  軒樋
４  軒樋吊り具
５  軒樋吊り具本体
６  傾斜固定板部
６ｃ  嵌合凸部
７  角度調整用座板
７ａ  嵌合凹部
７ｄ  嵌合溝
７ｎ  後面
７ｍ  前面
【図１】
2008184748.tif 000003
【図２】
2008184748.tif 000004
【図３】
2008184748.tif 000005
【図４】
2008184748.tif 000006
【図５】
2008184748.tif 000007
【図６】
2008184748.tif 000008
【図７】
2008184748.tif 000009
【図８】
2008184748.tif 000010
【図９】
2008184748.tif 000011
【図１０】
2008184748.tif 000012
【図１１】
2008184748.tif 000013